(57)【要約】【課題】撮影画像のプリント出力が指示されてからプリント出力されるまでの待ち時間を低減させる。【解決手段】写真撮影装置１００では、デジタルカメラ３０により撮影が行われ、撮影画像が得られると、制御部１１において当該撮影画像にプリント出力用の画像処理が施された出力用画像が作成される。そして、出力用画像が出力フォーマットに合成され、プリント出力の準備が整った後に、制御部１１の表示制御により当該撮影画像のプリント出力を指示するための操作画面であるプリント決定画面が表示部４０に表示される。このプリント決定画面において操作部６０を介してプリント出力の決定指示が入力されると、出力フォーマットに合成された出力用画像がプリンタ部７０においてプリント出力される。【選択図】図２
2005111945.tif 000002
【特許請求の範囲】
【請求項１】
被写体を撮影し、その撮影画像をプリント出力用に画像処理し、当該画像処理された撮影画像をプリント出力する写真プリント方法において、
前記撮影画像に対するプリント出力用の画像処理を、プリント出力の指示入力に先だって完了させることを特徴とする写真プリント方法。
【請求項２】
前記撮影画像の画像処理が完了した後に、当該撮影画像のプリント出力を指示するための操作画面を表示手段に表示することを特徴とする請求項１に記載の写真プリント方法。
【請求項３】
前記操作画面において、プリント出力指示が入力されると、プリント出力を待機するよう通知手段により通知することを特徴とする請求項２に記載の写真プリント方法。
【請求項４】
操作指示を入力するための操作手段と、被写体を撮影する撮影手段と、撮影により得られた撮影画像を表示する表示手段と、プリント出力用に撮影画像に画像処理を施す画像処理手段と、画像処理された撮影画像をプリント出力するプリント手段とを備えた写真撮影装置において、
前記画像処理手段は、プリント出力の指示入力に先だって、撮影画像にプリント出力用の画像処理を施し、
前記プリント手段は、前記操作手段を介してプリント出力の指示が入力されると、前記画像処理手段によりプリント出力用の画像処理が施された撮影画像をプリント出力することを特徴とする写真撮影装置。
【請求項５】
前記表示手段は、前記画像処理手段による画像処理が完了した後に、前記撮影画像のプリント出力を指示するための操作画面を表示することを特徴とする請求項４に記載の写真撮影装置。
【請求項６】
前記操作画面において、プリント出力指示が入力されると、プリント出力を待機するよう通知する通知手段を備えることを特徴とする請求項５に記載の写真撮影装置。
【発明の詳細な説明】
【技術分野】
【０００１】
本発明は、パスポートや履歴書等に使用される証明写真や、ポートレート、記念写真等を撮影する写真撮影装置及びその写真プリント方法に関する。
【背景技術】
【０００２】
従来から、免許証やパスポート、履歴書等に貼付するような証明写真等を撮影するためのボックス型の写真撮影装置が開発されており、街頭に設置されている。このような写真撮影装置では、撮影ボックス内にユーザが入り、ガイドに従ってユーザ自らが撮影操作することにより、簡単にかつ短時間でプリント写真を得ることができる。
【０００３】
近年では、プリント写真を得るまでのプリント待ち時間を短縮化するために、撮影終了後、すぐに撮影画像をモニタに表示させ、その間に撮影画像の画像処理を行う写真撮影装置も開発されている（例えば、特許文献１参照）
【特許文献１】特開２００３−２１９２１４号公報
【０００４】
従来の写真撮影装置による撮影動作を図７、８を参照して説明する。
まず図７に示すように、写真撮影装置のモニタ上に開始画面ｎ１が表示され、規定料金を投入するようガイダンスが行われる。そして、ユーザにより料金が投入されると、投入された料金金額に応じてお釣りの金額等が算出され、料金の精算が行われる（ステップＳ１０１）。
【０００５】
次いで、モニタ上には条件選択画面ｎ２が表示され、プリントする写真をカラーと白黒のどちらでプリントするかを選択するようガイダンスが行われる。ユーザは操作部を介してカラー又は白黒のどちらかの条件を選択すると、選択された条件がプリント条件として決定される（ステップＳ１０２）。
【０００６】
カラー／白黒のプリント条件が選択されると、続いて条件選択画面ｎ３が表示され、プリントする写真サイズを選択するようガイダンスが行われる。ユーザは操作部を介して所望の写真サイズを選択すると、選択された写真サイズがプリント条件として決定される（ステップＳ１０３）。ここでは、パスポート用の写真サイズが選択されたものとする。
【０００７】
各プリント条件が決定されると、次にガイド画面ｎ４が表示され、撮影ガイダンスが行われる。そして、撮影ガイダンスが終了後、所定時間が経過した又はユーザにより撮影キーが押下されると、ストロボが発光され、一又は複数回撮影が行われる（ステップＳ１０４）。ここでは、複数回撮影が行われた場合を説明する。撮影が終了すると、図８に示すステップＳ１０５の処理に移行する。
【０００８】
ステップＳ１０５では、撮影により得られた複数の撮影画像が、次に表示する画像選択画面用にサイズ調整、トリミング等されて選択用画像が作成される。作成された選択用画像は、画像選択画面ｎ５において選択可能に表示される。ユーザは、画像選択画面ｎ５においてプリントしたい画像を選択する。このとき、どの画像も気に入らない場合は、画像選択画面ｎ５上に表示された撮り直しキーを押下することにより、図７のステップＳ１０２に戻ってプリント条件の選択からやり直したり、或いはステップＳ１０４に戻り、撮影からやり直すことも可能であるとする。
【０００９】
画像選択画面ｎ５において、ユーザによりプリント対象の画像が選択されると、選択された撮影画像が、次に表示する確認画面用にサイズ調整、トリミング等されて確認用画像が作成される。作成された確認用画像は、確認画面ｎ６において表示される（ステップＳ１０６）。確認画面ｎ６では、被写体の顔画像を特定するために、確認用画像上に被写体の頭の位置及びあごの位置を指定するための基準線が表示される。ユーザは、この基準線を操作して頭及びあごの位置合わせを行う。
【００１０】
基準線による位置合わせが終了すると、被写体の顔画像がパスポートの規格に応じたサイズとなるように、基準線に応じて撮影画像がサイズ調整、トリミング等されて最終確認用画像が作成され、プリント決定画面ｎ７において表示される（ステップＳ１０７）。ユーザはプリント決定画面ｎ７において最終確認用画像を確認して、プリント対象の画像を選択し直したい場合はＮＧキーを押下し、その画像で良ければＯＫキーを押下してプリント出力を指示入力する。
【００１１】
プリント決定画面ｎ７においてＮＧキーが押下されると、ステップＳ１０５に戻り、画像の再選択が行われる。一方、ＯＫキーが押下されると、終了画面ｎ８が表示され、ユーザの撮影作業が終了したことが通知される（ステップＳ１０８）。
【００１２】
次いで、プリント出力用に撮影画像がサイズ調整、トリミング、色補正等の画像処理が施され、出力用画像が作成される（ステップＳ１０９）。作成された出力用画像は、プリント条件に応じて予め準備されている出力フォーマットに合成され（ステップＳ１１０）、プリント出力される（ステップＳ１１１）。プリント出力された写真プリントは、写真撮影装置の外側に設置される取出口に排出されるので、ユーザは写真撮影装置の外に出て写真プリントを取り出す。
【発明の開示】
【発明が解決しようとする課題】
【００１３】
上述した流れでは、ユーザによりプリント対象の撮影画像が選択され、当該選択された撮影画像のプリント出力が指示入力された後に、出力用画像の作成、出力フォーマットへの合成等の画像処理が行われている。この場合、最終的に決定された画像に対してのみ画像処理が施されるので処理効率は良いが、プリント出力が指示されてから画像処理を開始するので、プリント出力を指示してから実際にプリント出力されるまでのユーザのプリント待ち時間が長くなってしまう。
【００１４】
また、従来の写真撮影装置では、プリント出力されたプリント写真の取出口が写真撮影装置の外壁に設けられていることが多い。これは写真撮影装置の稼働率を向上させるために、撮影が終了してプリント待ちをしているユーザをボックス内から外へ誘導し、次のユーザの撮影を開始させるためである。そのため、従来の写真撮影装置では、プリント出力の指示を受けた直後、プリント出力を待機するよう通知する終了画面が表示され、ユーザは写真撮影装置の外に出てプリント写真を待機することが多い。しかしながら写真撮影装置が屋外に設置されている場合、雨が降っていたりと天候の状態が悪いときには、外で待機する時間が長いとプリント待ちしているユーザが不快感をおぼえることとなってしまう。
【００１５】
本発明の課題は、撮影画像のプリント出力が指示されてからプリント出力されるまでのユーザの待ち時間を低減させることである。
【課題を解決するための手段】
【００１６】
請求項１に記載の発明は、
被写体を撮影し、その撮影画像をプリント出力用に画像処理し、当該画像処理された撮影画像をプリント出力する写真プリント方法において、
前記撮影画像に対するプリント出力用の画像処理を、プリント出力の指示入力に先だって完了させることを特徴とする。
【００１７】
請求項２に記載の発明は、請求項１に記載の写真プリント方法において、
前記撮影画像の画像処理が完了した後に、当該撮影画像のプリント出力を指示するための操作画面を表示手段に表示することを特徴とする。
【００１８】
請求項３に記載の発明は、請求項２に記載の写真プリント方法において、
前記操作画面において、プリント出力指示が入力されると、プリント出力を待機するよう通知手段により通知することを特徴とする。
【００１９】
請求項４に記載の発明は、
操作指示を入力するための操作手段と、被写体を撮影する撮影手段と、撮影により得られた撮影画像を表示する表示手段と、プリント出力用に撮影画像に画像処理を施す画像処理手段と、画像処理された撮影画像をプリント出力するプリント手段とを備えた写真撮影装置において、
前記画像処理手段は、プリント出力の指示入力に先だって、撮影画像にプリント出力用の画像処理を施し、
前記プリント手段は、前記操作手段を介してプリント出力の指示が入力されると、前記画像処理手段によりプリント出力用の画像処理が施された撮影画像をプリント出力することを特徴とする。
【００２０】
請求項５に記載の発明は、請求項４に記載の写真撮影装置において、
前記表示手段は、前記画像処理手段による画像処理が完了した後に、前記撮影画像のプリント出力を指示するための操作画面を表示することを特徴とする。
【００２１】
請求項６に記載の発明は、請求項５に記載の写真撮影装置において、
前記操作画面において、プリント出力指示が入力されると、プリント出力を待機するよう通知する通知手段を備えることを特徴とする。
【発明の効果】
【００２２】
請求項１、４に記載の発明によれば、ユーザによりプリント出力が指示されるまでに、プリント出力用に撮影画像が画像処理されるので、ユーザによりプリント出力が指示されるとすぐにプリント出力に移ることができる。従って、ユーザがプリント出力を指示してからプリント出力されるまでの待ち時間を低減させることができ、顧客満足度を向上させることができる。
【００２３】
請求項２、５に記載の発明によれば、プリント出力用の画像処理が完了した後に、プリント出力を指示するための操作画面を表示することにより、プリント出力の指示入力に先だって画像処理を完了することができる。
【００２４】
請求項３、６に記載の発明によれば、ユーザによりプリント出力が指示された後、プリント出力を待機するよう通知するので、撮影画像にプリント出力用の画像処理が施されてプリント出力の準備が整った後に、ユーザにプリント出力の待機を促すことができる。従って、プリント出力が決定されてからプリント出力までのユーザの待ち時間を最小限に抑えることができる。
【発明を実施するための最良の形態】
【００２５】
本実施の形態では、撮影により得られた撮影画像にプリント出力用の画像処理を施した後に、当該撮影画像をプリント出力するか否かを決定するための操作画面を表示し、この操作画面でプリント出力が決定されると、プリント出力用に画像処理された撮影画像をプリント出力する例を説明する。
【００２６】
まず、構成を説明する。
図１に、本実施の形態における写真撮影装置１００の透視図を示す。
図１において、写真撮影装置１００はボックス型に形成され、その外壁には撮影された写真を取り出す取出口７１が設置され、ボックス内部（以下、撮影室という。）には被写体Ｍが座れるように椅子Ｃが回転可能に設置される。なお、椅子Ｃは回転により高さが昇降するように構成される。さらに、被写体Ｍの上方、正面、背面にはそれぞれ照明用のストロボ２０ａが設置され、さらに被写体Ｍの正面には、操作手順やその他撮影に関するガイド映像、撮影画像等を表示する表示部４０、操作指示するための操作部６０、撮影料金を精算するためのコインメック５０が設置される。
【００２７】
図２に、写真撮影装置１００の内部構成について説明する。
図２に示すように、写真撮影装置１０は、本体部１０、ストロボユニット２０、デジタルカメラ３０、表示部４０、コインメック５０、操作部６０、プリンタ部７０、通信部８０を備えて構成される。
【００２８】
本体部１０は、制御部１１、Ｉ／Ｏコントロール１２、ＲＯＭ（Read Only Memory）１３、ＲＡＭ（Random Access Memory）１４、ＤＶＤ（Digital Versatile Disk-R）１５、Ｉ／Ｆ１６から構成され、Ｉ／Ｏコントロール１２を介してストロボユニット２０、コインメック５０、操作部６０と接続されるとともに、Ｉ／Ｆ１６を介してプリンタ部７０に接続される。
【００２９】
制御部１１は、ＲＯＭ１３に格納されるシステムプログラムや本発明に係る撮影処理プログラム（図３参照）等の各種プログラムを読み出してＲＡＭ１４に展開し、当該プログラムに従って各部の動作を集中制御する。
【００３０】
撮影処理では、撮影からプリントまでのユーザの作業を誘導するための各種操作画面を表示部４０に表示させる。そして、操作部６０を介して撮影指示が入力されると、デジタルカメラ３０を制御して撮影を開始させる。撮影により得られた撮影画像の画像データがデジタルカメラ３０から入力されると、当該撮影画像にプリント出力用の画像処理を施して出力用画像を作成し、当該出力用画像をプリント条件に応じて予め準備されている出力フォーマットに合成する。このようにして、プリント出力の準備が整うと、プリント出力を指示するためのプリント決定画面を表示部４０に表示させ、このプリント決定画面においてプリント出力の指示が入力されると、プリント出力を待機するよう通知する終了画面を表示部４０に表示させるとともに、出力フォーマットに合成された出力用画像の画像データをＩ／Ｆ１６を介してプリンタ部７０に出力し、プリント出力させる。
【００３１】
すなわち、撮影処理プログラムと制御部１１との協働により、画像処理手段及び通知手段を実現することができる。
【００３２】
Ｉ／Ｏコントロール１２は、本体部１０と、ストロボユニット２０、コインメック５０、操作部６０とを接続するためのインターフェイスであり、制御部１１からの制御信号をストロボユニット２０、コインメック５０に送信するとともに操作部６０からの操作信号を制御部１１に送信する。
【００３３】
ＲＯＭ１３は、システムプログラムの他、撮影処理プログラム等の各種プログラム及び各プログラムで処理されたデータ等を記憶する。
【００３４】
ＲＡＭ１４は、制御部１１によって実行される各種プログラム及びこれらプログラムに係るデータを一時的に記憶するワークエリアを形成する。また、ＲＡＭ１４は、デジタルカメラ３０により撮影された撮影画像の画像データを一時的に記憶するエリアを有する。
【００３５】
ＤＶＤ１５は、デジタルカメラ３０で撮影された撮影画像の画像データ、制御部１１によって各種画像処理が施されて作成された画像の画像データを記憶する。
【００３６】
Ｉ／Ｆ１６は、本体部１０と、プリンタ部７０とを接続するためのインターフェイスであり、プリント対象の出力用画像の画像データを本体部１０からプリンタ部７０へ送信する。
【００３７】
ストロボユニット２０は、制御部１１からの制御信号に従って、写真撮影装置１００の各部に設置されたストロボ２０ａの発光タイミングや発光量を制御する。
【００３８】
デジタルカメラ３０は、光学レンズ、ＣＣＤ（Charge Coupled Device）等の光学センサ、Ａ／Ｄ変換部等から構成される撮影手段であり、光学レンズを介して入力される被写体像を光学センサにより光電変換して画像信号を生成する。そして、Ａ／Ｄ変換部によりアナログ画像信号からデジタル画像データを得て、当該デジタル画像データを本体部１０に出力する。なお、デジタルカメラに替えて動画を記録可能なデジタルビデオカメラを撮影手段として適用することとしてもよい。
【００３９】
表示部４０は、ＬＣＤ（Liquid Crystal Display）等を備えて構成される表示手段であり、制御部１１からの指示に従って、撮影手順を説明するガイド画面、撮影画像のプリント出力するか否かを決定するためのプリント決定画面等の各種操作画面を表示する。
【００４０】
コインメック５０は、硬貨や紙幣の入金口、釣り銭返金口等を備えた金銭登録機であり、入金口から入金された金額の情報を制御部１１に出力する。また、制御部１１から指示された金額の硬貨又は紙幣を釣り銭返金口に排出する。
【００４１】
操作部６０は、表示部４０と一体に構成されるタッチパネルや、撮影室の内壁に設けられた選択キー、撮影キー等の各種機能キーを備えて構成される操作手段であり、押下されたキーに対応する操作信号を制御部１１に出力する。
【００４２】
プリンタ部７０は、制御部１１から入力された画像データに基づいてプリント出力を行うプリント手段である。本実施の形態では、プリンタ部７０のプリント方式として、色材を昇華、転移させて画像を形成する昇華型熱転写方式が適用されているとして説明するが、記録媒体と受像材料とを重ね合わせて熱を与えることによって記録媒体の記録層を受像材料の受像層に転移させて画像を形成する溶融転写記録方式を適用することとしてもよいし、電子写真方式、インクジェット方式やその他のプリント方式であってもよい。また、銀塩写真像を形成するものであってもよい。
【００４３】
通信部８０は、ネットワークインターフェイスカード、モデム等の通信用インターフェイスから構成される通信手段であり、通信ネットワーク上の外部機器と相互に情報の送受信を行う。例えば、他の写真撮影装置に画像データを転送してプリント出力したり、ホストサーバに画像データを転送して画像登録することが可能である。
【００４４】
次に、図３〜６を参照して、本実施の形態における動作を説明する。
図３は、写真撮影装置１００により実行される撮影処理を説明するフローチャートであり、図４〜６は、撮影処理中に表示される操作画面例を示す図である。
【００４５】
図３に示す撮影処理では、まず表示部４０に開始画面ｍ１（図４（ａ）参照）が表示され、規定料金を投入するようガイダンスが行われる。そして、ユーザによりコンメック５０に料金が入力されると、投入された料金金額に応じて制御部１１において釣り銭の金額が算出され、釣り銭が有る場合はコインメック５０の返金口に釣り銭が排出されて、料金の精算が行われる（ステップＳ１）。
【００４６】
次いで、表示部４０に条件選択画面ｍ２（図４（ｂ）参照）が表示され、プリントする写真をカラープリントするか白黒プリントするかを選択するようガイダンスが行われる。図４（ｂ）に示すように、この条件選択画面ｍ２では、カラープリントと白黒プリントの見本プリントｐ１が表示されるとともに、各プリントを選択するための選択キーｋ１が表示される。そして、ユーザが操作部６０を介して選択キーを押下し、カラープリント又は白黒プリントのどちらかの条件を選択すると、写真撮影装置１００では選択された条件がプリント条件として決定される（ステップＳ２）。
【００４７】
カラープリント又は白黒プリントが選択されると、次に条件選択画面ｍ３（図４（ｃ）参照）が表示され、プリントする写真サイズを選択するようガイダンスが行われる。図４（ｃ）に示すように、条件選択画面ｍ３では、免許証、履歴書、パスポート、大型の４種の写真サイズの見本プリントｐ２が表示され、各写真サイズを選択するための選択キーｋ２が表示される。そして、ユーザが操作部６０を介して選択キーを押下し、写真サイズを選択すると、選択された写真サイズがプリント条件として決定される（ステップＳ３）。本実施の形態では、パスポートの写真サイズが選択された場合を説明する。
【００４８】
各プリント条件が決定されると、次にガイド画面ｎ４（図５（ａ）参照）が表示され、撮影ガイダンスが行われる。図５（ａ）に示すように、ガイド画面ｎ４には、撮影時の姿勢や位置等の撮影に関する注意点の説明が表示されるとともに、撮影回数が表示される。なお、撮影回数は写真撮影装置１００の運用者により任意に設定可能であるとする。また、画面下部には、撮影キーｋ３及び撮影の制限時間までのカウント時間が表示される。そして、撮影ガイダンスが終了後、制限時間が経過した又はユーザにより操作部６０を介して撮影キーが押下されて撮影が指示されると、ストロボユニット２０の制御によりストロボ２０ａにおいて発光が行われ、デジタルカメラ３０において撮影が行われる（ステップＳ４）。撮影は、所定回数だけ連続して行われる。
【００４９】
撮影が終了し、その撮影画像の画像データがデジタルカメラ３０から制御部１１に入力されると、制御部１１では、次に表示される画像選択画面用に撮影画像のサイズ調整、トリミング等が行われて、選択用画像が作成される。そして、画像選択画面ｍ５（図５（ｂ）参照）が表示され、作成された選択用画像が選択可能に表示される（ステップＳ５）。図５（ｂ）に示すように、画像選択画面ｍ５では、選択用画像ｐ３とともに各画像の選択キーｋ４が表示される。また、画面下部には撮影のやり直しを指示するための撮り直しキーｋ５が表示され、その撮り直しキーｋ５の下部には、画像選択の制限時間までのカウント時間が表示される。
【００５０】
ユーザは、画像選択画面ｍ５においてプリントしたい画像を選択し、その選択キーｋ４を押下する。このとき、目つぶり等が生じておりどの画像も気に入らない場合は、撮り直しキーｋ５を押下することにより、ステップＳ２の処理に戻ってプリント条件の選択からやり直したり、或いはステップＳ４の処理に戻って撮影からやり直すことも可能であるとする。
【００５１】
そして、画像選択画面ｍ５において、ユーザによりプリント対象の画像が選択されると、制御部１１において当該選択された撮影画像が、次に表示される確認画面用にサイズ調整、トリミング等されて確認用画像が作成される。そして、作成された確認用画像が確認画面ｍ６（図５（ｃ）参照）において表示される（ステップＳ６）。
【００５２】
図５（ｃ）に示すように、確認画面ｍ６では、確認用画像ｐ４が表示されるとともに、その確認用画像ｐ４上に被写体の頭の位置及びあごの位置を指定するための基準線Ｌが表示される。ユーザは、上下キーｋ６を操作して基準線Ｌを設定し、頭及びあごの位置合わせを行う。
【００５３】
基準線による位置合わせが終了すると、被写体の顔画像がパスポートの規格に応じたサイズとなるように、基準線Ｌに基づいて撮影画像がサイズ調整、トリミング等されるとともに、プリント出力用に色補正等の画像処理が施されて出力用画像が作成される（ステップＳ７）。次いで、作成された出力用画像が決定されたプリント条件に応じた出力フォーマットに合成される（ステップＳ８）。
【００５４】
出力用画像のプリント出力の準備が整うと、基準線Ｌに応じて撮影画像がサイズ調整、トリミング等された最終確認用画像が作成され、プリント決定画面ｍ７（図６（ａ）参照）上に表示される（ステップＳ９）。図６（ａ）に示すように、プリント決定画面ｍ７では、最終確認用画像ｐ５が表示されるとともに、ＯＫキーｋ７及びＮＧキーｋ８が表示される。ユーザは、最終確認用画像ｐ５を確認して、その画像でプリント出力を決定する場合にはＯＫキーｋ７を押下し、その画像が気に入らない場合はＮＧキーｋ８を押下する。
【００５５】
プリント決定画面ｍ７ではＯＫキーｋ７の押下によりプリント出力が決定されたか否かが判別される（ステップＳ１０）。ＯＫキーｋ７ではなく、ＮＧキーｋ８が押下された場合（ステップＳ１０；ＮＧ）、ステップＳ２の処理に戻ってプリント条件の選択からやり直す、或いはステップＳ４の処理に戻って撮影からやり直す。一方、ＯＫキーｋ７が押下された場合（ステップＳ１０；ＯＫ）、終了画面ｍ８（図６（ｂ）参照）が表示され、ユーザの撮影作業が終了し、プリント出力を待機するよう通知される（ステップＳ１１）。
【００５６】
次いで、プリンタ部７０において出力フォーマットに合成された出力用画像がプリント出力され（ステップＳ１２）、本処理を終了する。プリント出力されたプリント写真は、取出口７１に排出される。
【００５７】
以上のように、ユーザがプリント対象の撮影画像を選択し、プリント出力を指示するまでに、撮影画像がプリント出力用に画像処理されて出力フォーマットに合成されているので、ユーザのプリント出力の指示入力と同時にプリント出力を開始することができる。従って、ユーザがプリントを指示してからのプリント待ち時間を低減させることができ、顧客満足度を向上させることができる。
【００５８】
また、ユーザにプリント出力を待機するよう通知する終了画面の表示により、ユーザが写真撮影装置１００の外へ出てプリント待ちすることが多いが、本実施の形態によれば、出力用画像が出力フォーマットに合成され、プリント出力の準備が整った後に終了画面が表示されるので、ユーザが外に出てから待機する待ち時間を最小限に抑えることができる。
【００５９】
特に、写真撮影装置１００が屋外に設置されている場合、天候が悪かったりするとユーザが外で待機することに不快感を感じるので、外に出てからの待ち時間を減少させることは有効である。
【図面の簡単な説明】
【００６０】
【図１】本実施の形態における写真撮影装置１００の透視図である。
【図２】写真撮影装置１００の内部構成を示す図である。
【図３】写真撮影装置１００により実行される撮影処理を説明するフローチャートである。
【図４】（ａ）開始画面ｍ１を示す図である。（ｂ）条件選択画面ｍ２を示す図である。（ｃ）条件選択画面ｍ３を示す図である。
【図５】（ａ）ガイド画面ｍ４を示す図である。（ｂ）画像選択画面ｍ５を示す図である。（ｃ）確認画面ｍ６を示す図である。
【図６】（ａ）プリント決定画面ｍ７を示す図である。（ｂ）終了画面ｍ８を示す図である。
【図７】従来の撮影処理を説明するフローチャート及びその撮影時に表示される画面図である。
【図８】従来の撮影処理を説明するフローチャート及びその撮影時に表示される画面図である。
【符号の説明】
【００６１】
１００    写真撮影装置
１０    本体部
１１    制御部
１２    Ｉ／Ｏコントロール
１３    ＲＯＭ
１４    ＲＡＭ
１５    ＤＶＤ
１６    Ｉ／Ｆ
２０    ストロボユニット
２０ａ    ストロボ
３０    デジタルカメラ
４０    表示部
５０    コインメック
６０    操作部
７０    プリンタ部
８０    通信部
【図１】
2005111945.tif 000003
【図２】
2005111945.tif 000004
【図３】
2005111945.tif 000005
【図４】
2005111945.tif 000006
【図５】
2005111945.tif 000007
【図６】
2005111945.tif 000008
【図７】
2005111945.tif 000009
【図８】
2005111945.tif 000010